(57)【特許請求の範囲】
【請求項１】
軟質合成樹脂製の表裏の被覆シートと、これらの被覆シートの中間に位置する仕切シートとを重合し、前記被覆シートと仕切シートとの外周部を相互に溶着してベースシートを構成し、
コンパクトディスクの外周の外側に対応して前記被覆シートと仕切シートとを部分溶着して前記被覆シートと仕切シートとの間にディスク収納部を形成し、コンパクトディスクの中心孔とその上方外周との中間部の前記被覆シートにコンパクトディスクの直径より長い水平方向の横スリットを設け、この横スリットの両端部に連続して上下方向の縦スリットを設けて上カバーと下カバーとを形成することを特徴とするコンパクトディスクホルダー。
【請求項２】
水平方向の横スリットの中央部は下方に湾曲形成されて上カバーの中央部には下方に突出する舌片が形成されることを特徴とする請求項１記載のコンパクトディスクホルダー。
【請求項３】
ベースシートの側方に綴じ片を一体的に形成し、ベースシートの綴じ片側の一側には上下中央の表裏に各１つのディスク収納部が設けられ、その他側には上下の表裏に各２つのディスク収納部が設けられていることを特徴とする請求項１または２記載のコンパクトディスクホルダー。
【発明の詳細な説明】
【０００１】
【発明の属する技術分野】
本発明は、コンパクトディスクを収納するホルダーに関し、特に多数のコンパクトディスクを平面的に収納することができるホルダーに関する。
【０００２】
【従来の技術】
従来、コンパクトディスクを平面的に収納することができるホルダーとして、例えば特開平８−２６３６７号公報に示されるものがある。このコンパクトディスクホルダーは、周縁部が相互に溶着一体化された表裏の軟質合成樹脂製の被覆シートと、これら被覆シート間に介在され且これらに略一致する大きさ形状の不織布シートからなり、表裏の被覆シートの対向する複数箇所に、コンパクトディスクの直径より長い範囲にわたってスリットを形成し、各スリットの下方域には、コンパクトディスクより僅かに大径な円の下半周に沿った区間に、被覆シートと不織布シートとを溶着して支持部を形成してなるものである。
【０００３】
【発明が解決しようとする課題】
しかしながら、前記のコンパクトディスクホルダーにおいては、覆片を大きく開かなければならないためコンパクトディスクを収納しにくく、コンパクトディスクを取り出すときに取り出しにくいという問題がある。また、コンパクトディスクを覆う覆片が大きいため破断しやすく、収納状態が安定しないという問題点もある。
【０００４】
本発明は、前記問題点を解決するためになされたものであり、コンパクトディスクを収納しやすく取り出しも容易に行え、収納状態が安定しており、薄手で効率よく収納でき、コンパクトディスクを覆う覆片が破断しにくいコンパクトディスクホルダーを提供することを目的とする。
【０００５】
【課題を解決するための手段】
前記の目的を達成するため、本発明に係るコンパクトディスクホルダーは、軟質合成樹脂製の表裏の被覆シートと、これらの被覆シートの中間に位置する仕切シートとを重合し、前記被覆シートと仕切シートとの外周部を相互に溶着してベースシートを構成し、コンパクトディスクの外周の外側に対応して前記被覆シートと仕切シートとを部分溶着して前記被覆シートと仕切シートとの間にディスク収納部を形成し、コンパクトディスクの中心孔とその上方外周との中間部の前記被覆シートにコンパクトディスクの直径より長い水平方向の横スリットを設け、この横スリットの両端部に連続して上下方向の縦スリットを設けて上カバーと下カバーとを形成することを特徴とする。
【０００６】
水平方向の横スリットの中央部は下方に湾曲形成されて上カバーの中央部には下方に突出する舌片を形成するように構成してもよく、ベースシートの側方に綴じ片を一体的に形成し、ベースシートの綴じ片側の一側には上下中央の表裏に各１つのディスク収納部を設け、その他側には上下の表裏に各２つのディスク収納部を設けるようにすれば好都合である。
【０００７】
前記のように構成されたコンパクトディスクホルダーによれば、コンパクトディスクは上カバーと下カバーを開放し、下カバーに沿わせて挿入するので容易に挿入、収納でき、取り出すときは上カバーと下カバーとを大きく開放してコンパクトディスクを指で挟持して容易に取り出すことができる。コンパクトディスクは上カバー、下カバーで覆われて収納状態が安定する。上カバーの中央に舌片を形成すれば指がかかりやすく、コンパクトディスクが取り出しやすい。綴じ片の一側に１つのディスク収納部を、他側に２つのディスク収納部を設けるように構成すれば、コンパクトディスクの収納、取り出しが容易に行える。
【０００８】
【発明の実施の形態】
発明の実施の形態を図面を参照して説明する。図１は本発明に係るコンパクトディスクホルダーの一実施形態の正面図、図２は図１の背面図、図３（ａ）は図１のＡ−Ａ線要部拡大断面図、図３（ｂ）は動作状態を示す断面図、図４は動作状態を示す要部斜視図である。図１〜４において、コンパクトディスク１を収納するコンパクトディスクホルダー１０は軟質合成樹脂製の表裏の被覆シート１１、１２と、これらの被覆シートの中間に位置する仕切シート１３とを重合し、被覆シート１１、１２と仕切シート１３は周縁部が相互に溶着された外周溶着部１４により一体化されて構成されたベースシート１５から構成される。ベースシート１５は本例ではおおよそＡ４版の大きさである。被覆シート１１、１２はポリエチレン樹脂等の厚さが０．１〜０．３ｍｍ程度の軟質の薄膜材より構成され、仕切シート１３は本例では厚さが０．２〜０．５ｍｍ程度の不織布シートから構成され、一方の側部には綴じ片１６が一体的に形成されている。綴じ片１６には複数（図面では４個）の綴じ孔が穿設されている。
【０００９】
ベースシート１５にはコンパクトディスク１の外周の外側すなわち直径より僅かに大きい円周に沿って上部、下部および側部に対応して被覆シート１１、１２と仕切シート１３とを溶着した部分溶着部１７、１８、１９が形成されている。この部分溶着部１７、１８、１９および外周溶着部１４により被覆シート１１、１２と仕切シート１３との間の片面に３カ所、両面で６カ所のディスク収納部２０Ａ〜２０Ｆが形成されている。表面のディスク収納部は綴じ片１６側の一側の上下中央にディスク収納部２０Ａが設けられ、その他側には上下に２つのディスク収納部２０Ｂ、２０Ｃが設けられている。同様に裏面のディスク収納部は綴じ片１６側の一側の上下中央にディスク収納部２０Ｄが設けられ、その他側には上下に２つのディスク収納部２０Ｅ、２０Ｆが設けられている。
【００１０】
コンパクトディスク１の中心孔２と上方円周との中間部の被覆シート１１、１２にコンパクトディスク１の直径より長い水平方向の横スリット２１が形成されている。この横スリット２１の両端部に連続して上下に形成された上方向の縦スリット２２および下方向の縦スリット２３とにより矩形状の上カバー２４と下カバー２５とが構成されている。この上カバー２４と下カバー２５とによりディスク収納部２０Ａ〜２０Ｆの開口部が構成される。上カバー２４の上部には前述の部分溶着部１７が形成され、上カバー２４の開く範囲を規制している。上部のディスク収納部２０Ｂ、２０Ｅにおいては、上カバー２４の開く範囲は外周溶着部１４が規制している。
【００１１】
縦スリット２２は横スリット２１より連続して形成され、コンパクトディスク１の上部に対応する位置まで延長されたあと、内方に向けて水平方向に延ばされ、さらに僅かに下方に向けて小円弧で延長されている。縦スリット２３は横スリット２１より連続して形成され、コンパクトディスク１の中心孔２の近傍まで延長されたあと、内方に向けて水平方向に延ばされ、さらに僅かに上方に向けて小円弧で延長されている。外側に位置する縦スリット２２、２３は周縁部の外周溶着部１４に沿って形成され、また、内側に位置する縦スリット２３は、その下方に設けた水平状の部分溶着部１８により裂け広がるのが防止される。この部分溶着部１８はコンパクトディスク１の外周の外側に位置してディスク収納部２０を構成し、コンパクトディスク１の横方向の移動を防止するものである。
【００１２】
このように縦スリット２２、２３はコンパクトディスク１の上部および中心まで形成されているため、コンパクトディスク１を取り出すときに上カバー２４および下カバー２５を開放すると、その約半分の面積が露出しコンパクトディスク１の上端外周および中心孔が露出するように構成されている。縦スリット２２、２３の端部が小円弧で形成されているので、縦スリットの端部が裂ける虞が少なく、上カバー２４、下カバー２５が切断することは少ない。
【００１３】
水平方向の横スリット２１の中央部は下方に湾曲形成され、上カバー２４の中央部には下方に突出する舌片２４ａが形成され、対向する下カバー２５には舌片２４ａに対応する凹部が形成されている。このように上カバー２４の中央部から突出した舌片２４ａは指がかかりやすく、コンパクトディスク１を収納あるいは取り出すとき上カバー２４を開放することが容易に行える。
【００１４】
上カバー２４と下カバー２５とを開けることにより被覆シート１１、１２と仕切シート１３との間のディスク収納部２０にコンパクトディスク１を収納することができ、収納後は上カバー２４および下カバー２５はコンパクトディスク１の表面を保護する覆いとして機能し、収納状態が安定する。
【００１５】
本発明に係るコンパクトディスクホルダー１０は前記した構成であり、以下に図３（ｂ）、図４を参照して動作について説明する。コンパクトディスク１を収納するときは、図３（ｂ）に示されるように上カバー２４および下カバー２５を開放してディスク収納部２０Ｄの面積の約半分を開放し、下カバー２５に沿わせてコンパクトディスク１の下端を挿入する。コンパクトディスク１は下カバー２５に沿わせて挿入することができるので、隙間に挿入しやすく容易に挿入できる。コンパクトディスク１が下方の部分溶着部１９に到達したとき、上カバー２４、下カバー２５を閉じてコンパクトディスク１の表面を保護する。このため、コンパクトディスク１の収納状態が安定する。
【００１６】
コンパクトディスク１を取り出すときは、図４に示されるように上カバー２４と下カバー２５とを開放し、コンパクトディスク１の中心孔２に親指をかけ、上部外周に人差し指をかけてコンパクトディスク１の上半部を挟持して、手前に引き出して上方に持ち上げればよい。このように簡単な操作により極めて容易にコンパクトディスク１を取り出すことができる。コンパクトディスク１を覆うカバーは、上カバー２４と下カバー２５に分割されており開口面積が大きくとれ、それぞれの面積が小さいため破断する虞が少ない。
【００１７】
ベースシート１５の綴じ片１６側の一側に１つのディスク収納部を設け、その他側に２つのディスク収納部を設けているので、コンパクトディスクホルダー１０を綴じ片１６により多数枚綴じたとき、綴じしろ側の操作が若干しにくい部分に１つのコンパクトディスクが位置し、開き側の操作がしやすい部分に２つのコンパクトディスクが位置するため、収納、取り出しが容易に行える。
【００１８】
【発明の効果】
以上説明したように、本発明によれば、上カバーと下カバーとによる開口部が大きく、コンパクトディスクの収納、取り出しが容易に行え、しかも薄手で効率よく収納することができる。また、上カバー、下カバーが破断する虞が少ないという効果を奏する。
【図面の簡単な説明】
【図１】本発明に係るコンパクトディスクホルダーの一実施形態の正面図である。
【図２】図１の背面図である。
【図３】（ａ）は図１のＡ−Ａ線要部拡大断面図、（ｂ）動作状態を示す断面図である。
【図４】動作状態を示す要部斜視図である。
【符号の説明】
１  コンパクトディスク
２  中心孔
１０  コンパクトディスクホルダー
１１、１２  被覆シート
１３  仕切シート
１４  外周溶着部
１５  ベースシート
１６  綴じ片
１７、１８、１９  部分溶着部
２０（２０Ａ、２０Ｂ、２０Ｃ、２０Ｄ、２０Ｅ、２０Ｆ）  ディスク収納部
２１  横スリット
２２、２３  縦スリット
２４  上カバー
２４ａ  舌片
２５  下カバー
【図１】
0003957411.tif 000002
【図２】
0003957411.tif 000003
【図３】
0003957411.tif 000004
【図４】
0003957411.tif 000005